(57)【要約】【課題】物の色の見え方が変化することを抑制する。【解決手段】照明装置１０は、発光部１１０、反射光測定部１２０、及び発光制御部１３０を備えている。発光部１１０は照明装置１０の光源であり、照明領域２０を照らす。反射光測定部１２０は、照明領域２０に配置された被照射物３０からの反射光を測定する。発光制御部１３０は、反射光測定部１２０の測定結果を用いて、照明領域２０における発光部１１０による光と外光との合成光のスペクトルが基準を満たすように、発光部１１０を制御する。【選択図】図１
2014203533.tif 000002
【特許請求の範囲】
【請求項１】
照明領域を照らす発光部と、
前記照明領域に配置された被照射物からの反射光を測定する反射光測定部と、
前記反射光測定部の測定結果を用いて、前記照明領域における前記発光部による光と外光との合成光のスペクトルが基準を満たすように、前記発光部を制御する発光制御部と、
を備える照明装置。
【請求項２】
請求項１に記載の照明装置において、
前記被照射物は色標であり、
前記反射光測定部は、互いに色が異なる複数の前記色標のそれぞれについて、前記反射光の強度を測定し、
前記発光制御部は、前記色標別の前記反射光の強度に従って前記発光部を制御することにより、前記合成光のスペクトルが前記基準を満たすようにする照明装置。
【請求項３】
請求項１又は２に記載の照明装置において、
前記基準は複数種類有り、
前記複数種類の前記基準を記憶するモード記憶手段を備え、
前記発光制御部は、前記モード記憶手段から一つの前記基準を読み出し、読み出した前記基準を満たすように前記発光部を制御する照明装置。
【請求項４】
請求項１に記載の照明装置において、
前記発光制御部は、前記合成光の波長別の強度が基準を満たすように、前記発光部を制御することにより、前記合成光のスペクトルが前記基準を満たすようにする照明装置。
【請求項５】
請求項１〜４のいずれか一項に記載の照明装置において、
前記発光部は、互いに発光スペクトルが異なる複数の発光領域を有しており、
前記発光制御部は、前記複数の発光領域の発光強度を制御することにより、前記発光部のスペクトルを調節する照明装置。
【発明の詳細な説明】
【技術分野】
【０００１】
本発明は、照明装置に関する。
【背景技術】
【０００２】
発光装置の用途の一つに、照明装置がある。照明装置の制御に関する技術としては、例えば特許文献１，２に記載の技術がある。
【０００３】
特許文献１に記載の技術は、屋外における色温度や照度に基づいて、屋内の照明装置を制御するものである。また、特許文献２に記載の技術は、日にちを用いて昼光のレベルを推定し、推定した昼光のレベルに基づいて照明装置を制御することが記載されている。
【先行技術文献】
【特許文献】
【０００４】
【特許文献１】特開平４−２０６３９１号公報
【特許文献２】特表平１０−５００５３４号公報
【発明の概要】
【発明が解決しようとする課題】
【０００５】
物の色の見え方は、その物に照射する光によって変化する。通常、物を照らす光は、自然光と照明装置からの光の合成光となっている。このため、物を照らす光のスペクトルは一定ではなく、そのため、物の色の見え方は変化してしまう。
【０００６】
本発明が解決しようとする課題としては、物の色の見え方が変化することを抑制できる照明装置を提供することが一例として挙げられる。
【課題を解決するための手段】
【０００７】
請求項１に記載の発明は、照明領域を照らす発光部と、
前記照明領域に配置された被照射物からの反射光を測定する反射光測定部と、
前記反射光測定部の測定結果を用いて、前記照明領域における前記発光部による光と外光との合成光のスペクトルが基準を満たすように、前記発光部を制御する発光制御部と、
を備える照明装置である。
【図面の簡単な説明】
【０００８】
【図１】実施形態に係る照明装置の機能構成を示す図である。
【図２】実施例１に係る照明装置の機能構成を示す図である。
【図３】実施例２に係る照明装置の機能構成を示す図である。
【図４】実施例３に係る照明装置の機能構成を示す図である。
【図５】実施例３に係る照明装置の動作を示すフローチャートである。
【発明を実施するための形態】
【０００９】
以下、本発明の実施の形態について、図面を用いて説明する。尚、すべての図面において、同様な構成要素には同様の符号を付し、適宜説明を省略する。
【００１０】
なお、以下に示す説明において、照明装置１０の各構成要素は、ハードウエア単位の構成ではなく、機能単位のブロックを示している。照明装置１０の各構成要素は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１１】
図１は、実施形態に係る照明装置１０の機能構成を示す図である。照明装置１０は、発光部１１０、反射光測定部１２０、及び発光制御部１３０を備えている。発光部１１０は照明装置１０の光源であり、照明領域２０を照らす。反射光測定部１２０は、照明領域２０に配置された被照射物３０からの反射光を測定する。発光制御部１３０は、反射光測定部１２０の測定結果を用いて、照明領域２０における発光部１１０による光と外光との合成光のスペクトルが基準を満たすように、発光部１１０を制御する。
【００１２】
ここで発光部１１０は、例えば有機ＥＬ（Organic Electroluminescence）素子及びＬＥＤ（Lignt Emitting Diode）の少なくとも一方を有している。ただし発光部１１０は、スペクトルを調整できるものであれば、他の発光体を有していても良い。
【００１３】
また、上記した合成光のスペクトルが満たすべき基準は、所望するスペクトルを再現するために必要な指標であり、その値はある程度の幅を持っている。この指標は、例えば、予め定められた複数の波長別の強度の範囲、又はこれらの相対比である。ただし、スペクトルが実質的に再現できるのであれば、他の指標が基準として用いられても良い。
【００１４】
本実施形態によれば、発光制御部１３０は、照明領域２０における発光部１１０による光と外光との合成光のスペクトルが基準スペクトルとなるように、発光部１１０に供給する電流値を制御する。このため、照明領域２０に配置された物の見え方が外光によって変化することを抑制できる。
【００１５】
これにより、例えばデザイナーが生地などの色を調整する場合に、場所や時間によらず生地の色を正確に認識することができる。また、装飾物が外、室内、ショウルーム等に場所を変えた時にどのように見えるか、調整時に確認することができる。
【実施例】
【００１６】
図２は、実施例１に係る照明装置１０の機能構成を示す図である。本実施形態に係る照明装置１０は、発光部１１０が複数種類の発光領域１１２を有している点を除いて、実施形態に係る照明装置１０と同様の構成である。
【００１７】
複数種類の発光領域１１２は、発光スペクトルが互いに異なる。例えば発光領域１１２のそれぞれが有機ＥＬ素子を有している場合、これらの有機ＥＬ素子は、例えば有機層の構造が互いに異なっている。また発光領域１１２のそれぞれがＬＥＤを有している場合、これらのＬＥＤは、例えば発光層の構造が互いに異なっている。複数の発光領域１１２は、例えば、赤色、緑色、及び青色の発光領域である。ただし、発光領域１１２は、他の色の発光領域を有していても良い。また少なくとも一つの発光領域１１２は、他の発光領域１１２と同一の色に分類されるがスペクトルのピーク位置が少し異なっていてもよい。
【００１８】
そして発光制御部１３０は、複数の発光領域１１２の発光強度を互いに独立して制御することにより、発光部１１０のスペクトルを調節する。
【００１９】
また、被照射物３０は、例えば白色や銀色など、外光を反射しやすい色になっている。そして反射光測定部１２０は、被照射物３０からの反射光のうち、予め定められた複数の波長それぞれにおける強度を測定する。そして、発光制御部１３０は、これら複数の波長別の強度を用いて、複数の発光領域１１２の発光強度を制御する。
【００２０】
ここで、発光制御部１３０は、波長別に、反射光測定部１２０による測定結果と予め定められた基準値との差分を算出し、これら波長別の差分を埋めるように、発光領域１１２の発光強度を定めても良い。この場合、発光制御部１３０は、発光領域１１２のそれぞれについて、電流量と波長別の強度の関係を示すデータを記憶している。そしてこのデータを用いて、発光領域１１２の発光強度（すなわち供給する電流値）を定める。
【００２１】
本実施例によっても、実施形態と同様の効果を得ることができる。また、複数種類の発光領域１１２は、発光スペクトルが互いに異なっている。このため、発光制御部１３０は、複数の発光領域１１２の発光強度を互いに独立して制御することにより、発光部１１０のスペクトルを容易に調節することができる。
【００２２】
（実施例２）
図３は、実施例２に係る照明装置１０の機能構成を示す図である。本実施例に係る照明装置１０は、モード記憶部１３２及び入力部１４０を有している点を除いて、実施例１に係る照明装置１０と同様の構成である。
【００２３】
本実施例において、照明領域２０における発光部１１０からの光と外光との合成光のスペクトルの基準は、複数設定されている。具体的には、これらの基準には、例えば、太陽光（自然光）を再現するための基準、蛍光灯からの光を再現するための基準、及び白熱電球からの光を再現するための基準などがある。
【００２４】
そしてモード記憶部１３２は、これら複数の基準を示すデータ（例えば複数の波長の間の強度比、又は複数の波長それぞれの強度の絶対値）を、基準別に記憶している。そして照明装置１０のユーザは、入力部１４０に、照明装置１０が用いるべき基準を示す情報を入力する。発光制御部１３０は、入力部１４０から入力された情報に従って、モード記憶部１３２から一つの基準を示すデータを読み出し、読み出したデータに従って発光部１１０の発光領域１１２を制御する。
【００２５】
本実施例によっても、実施例１と同様の効果を得ることができる。また、モード記憶部１３２は複数の基準を記憶しており、発光制御部１３０は、これらの基準のうちの一つを満たすように、発光部１１０を制御する。従って、照明装置１０は複数種類の光源からの光を、高い精度で再現することができる。
【００２６】
（実施例３）
図４は、実施例３に係る照明装置１０の機能構成を示す図である。本実施形態に係る照明装置１０は、以下の点を除いて実施形態又は実施例１，２に係る照明装置１０と同様の構成である。本図は、実施例２と同様の場合を示している。
【００２７】
本実施例において、被照射物３０としては複数の色標が用いられる。これら複数の色標の色は、互いに異なる。ここで用いられる色標の色としては、例えば赤色、緑色、青色、黄色、及びマゼンダ等があるが、これらの色に限定されない。また色表の色の数も特に限定はない。
【００２８】
そして発光制御部１３０は、色標別の反射光の強度に従って発光部１１０を制御する。例えば色標別に強度の基準値が定められており、発光制御部１３０は、色標別に、反射光測定部１２０による測定結果と上記した基準値との差分を算出する。そして発光制御部１３０は、これら波長別の差分を埋めるように、発光領域１１２の発光強度を定める。この場合、発光制御部１３０は、発光領域１１２のそれぞれについて、電流量と波長別の強度の関係を示すデータを記憶している。そしてこのデータを用いて、発光領域１１２の発光強度（すなわち供給する電流値）を定める。
【００２９】
また入力部１４０は、複数の色標入力部１４２を有している。色標入力部１４２は複数の色標のそれぞれに対応して設けられている。そしてユーザによって色標入力部１４２が選択されると、その色標入力部１４２に対応した色標を示す色標情報が発光制御部１３０に出力される。発光制御部１３０は、この色標情報に基づいて、反射光測定部１２０が検出している反射光がどの色標に対応しているかを認識する。
【００３０】
図５は、本実施例における照明装置１０の動作を示すフローチャートである。まずユーザは、照明領域２０に被照射物３０としての色標を配置する。そしてユーザは、照明領域２０に配置した色標に対応する色標入力部１４２を選択する。色標入力部１４２は、発光制御部１３０に色標情報を出力する。これにより、照明装置１０の発光制御部１３０には色標情報が入力される（ステップＳ１０）。
【００３１】
そして反射光測定部１２０は、被照射物３０からの反射光を測定する（ステップＳ２０）。発光制御部１３０は、反射光測定部１２０による測定結果を、色標入力部１４２から受信した色標情報に対応付けて記憶する。
【００３２】
ユーザ及び照明装置１０は、全ての色標に対して反射光の測定が終わるまで（ステップＳ３０：Ｎｏ）、ステップＳ１０，Ｓ２０に示した処理を行う。
【００３３】
そして発光制御部１３０は、モード記憶部１３２から基準を読み出す（ステップＳ４０）。どの基準を読み出すかを示す情報は、入力部１４０を介してユーザから入力される。そして発光制御部１３０は、発光部１１０の発光条件（例えば発光領域１１２別の電流量）を算出する（ステップＳ５０）。
【００３４】
本実施例によっても、実施形態又は実施例１，２と同様の効果が得られる。また、複数の色標を用いて所望する光源からの光を再現するため、光源の再現性は高くなる。
【００３５】
以上、図面を参照して実施形態及び実施例について述べたが、これらは本発明の例示であり、上記以外の様々な構成を採用することもできる。
【符号の説明】
【００３６】
１０ 照明装置
２０ 照明領域
３０ 被照射物
１１０ 発光部
１１２ 発光領域
１２０ 反射光測定部
１３０ 発光制御部
１３２ モード記憶部
１４０ 入力部
１４２ 色標入力部
【図１】
2014203533.tif 000003
【図２】
2014203533.tif 000004
【図３】
2014203533.tif 000005
【図４】
2014203533.tif 000006
【図５】
2014203533.tif 000007